(57)【要約】【課題】配管の内周面や外周面に面取り加工の際の削りかす等の異物が残っていてもホース挿入時にその異物がシール部材の位置まで侵入してシール部材に噛み込んでしまう問題を確実に防止することのできる配管の接続継手を提供する。【解決手段】環状のシール部材２２を備えてなる配管１８の接続継手１０において、配管１８に対する嵌合面となる内筒２０の外周面に且つシール部材２２よりも配管１８の挿入側の先端側の部分に金属製のエッジ部４４を環状に設けるとともに、エッジ部４４に続いて更に先端側に段部を形成し、環状の凹所４６を設けておく。【選択図】        図４
2006064054.tif 000002
【特許請求の範囲】
【請求項１】
配管の挿入空間と、挿入された該配管の内周面に内嵌する雄嵌合部若しくは外周面に外嵌する雌嵌合部と、該雄嵌合部の外周面若しくは雌嵌合部の内周面に装着され、該配管と弾性接触してシールをなす環状のシール部材とを備えてなる配管の接続継手において
前記配管に対する嵌合面となる前記雄嵌合部の外周面若しくは雌嵌合部の内周面の前記シール部材よりも配管挿入側の先端側の部分に金属製のエッジ部を環状に設けるとともに、該エッジ部の更に先端側に段部を形成し、環状の凹所を該エッジ部に続いて設けたことを特徴とする配管の接続継手。
【請求項２】
請求項１において、前記配管が樹脂製の配管であることを特徴とする配管の接続継手。
【発明の詳細な説明】
【技術分野】
【０００１】
この発明は配管の接続継手に関し、詳しくはシール部材への異物の噛込みを防止する手段に特徴を有するものに関する。
【背景技術】
【０００２】
近年、例えば給水用，給湯用の配管として硬質の樹脂材から成る樹脂製の配管が用いられるようになって来ている。
この場合、施工現場の状況に応じて長い樹脂製の配管を容易に切断して配管接続することができ、施工現場の状況に応じた適性な長さで配管を構成でき、また配管接続作業を簡単に行うことができる。
【０００３】
図６（イ）は、その際に用いられる配管の接続継手の一例を模式的に表したものである。
同図において２００は配管の接続継手で、筒状の挿入空間２０２と、そこに挿入された樹脂製の配管２０４の内周面に内嵌する雄嵌合部としての内筒２０６と、内筒２０６の外周面に装着されたＯリング（シール部材）２０８及び外筒２１０を備えている。
【０００４】
この樹脂製の配管２０４を、施工現場にて接続継手２００に挿入し接続を行う際、配管２０４にてＯリング２０８が傷付けられないように、現場施工者が配管２０４の先端部内面に面取り加工を施すが、その際（ロ）に示しているように削りかす２１２Ａが一部繋がった状態のまま配管２０４の内面に残ってしまったり或いは切り取られた削りかす２１２Ａが配管２０４の内面に付着して残ってしまうことがある。
【０００５】
この場合、配管２０４を接続継手２００に挿入し接続を行ったとき、一部繋がったままの削りかす２１２Ａが配管２０４とともにＯリング２０８の位置まで侵入してしまったり、或いは切り取られた削りかす２１２Ａ又はその他の異物が配管２０４の内周面に付着したまま、配管２０４の内周面との間の摩擦力により配管２０４とともにＯリング２０８の位置まで侵入してしまい、それら削りかす２１２Ａその他の異物がＯリング２０８に噛み込んでしまって、漏水の原因になるといった問題を生じていた。
【０００６】
以上は雄嵌合部を配管２０４の内周面に内嵌させて、雄嵌合部の外周面に装着した弾性を有するシール部材にてシールを行う場合の例であるが、雌嵌合部を配管２０４の外周面に外嵌させるとともに、雌嵌合部の内周面に装着したシール部材にてシールを行う形式の接続継手においても同様の問題が内在する。
【０００７】
また上記は樹脂製の配管２０４の場合の例であるが、金属製その他の配管２０４を接続継手に接続する際にも同様の問題が生じ得る。
【０００８】
尚、配管の内周面に付着した汚れやごみによってシール性が阻害される問題を解決課題としたワンタッチ継手について下記特許文献１に開示されているが、このものはゴム等の環状パッキンにて異物除去手段を構成したもので、このようなものでは上記面取り加工により一部繋がったままで残ってしまったような削りかすによるシール性低下の問題については解決することができない。
【０００９】
【特許文献１】特開２００２−３１０３６４号公報
【発明の開示】
【発明が解決しようとする課題】
【００１０】
本発明は以上のような事情を背景とし、配管の内周面や外周面即ち接続継手との嵌合面の側に、面取り加工の際の削りかす或いはその他の異物が付着していた場合であっても、配管挿入時にそれら削りかすや異物がシール部材の位置まで侵入してシール部材に噛み込んでしまう問題を確実に防止することのできる配管の接続継手を提供することを目的としてなされたものである。
【課題を解決するための手段】
【００１１】
而して請求項１のものは、配管の挿入空間と、挿入された該配管の内周面に内嵌する雄嵌合部若しくは外周面に外嵌する雌嵌合部と、該雄嵌合部の外周面若しくは雌嵌合部の内周面に装着され、該配管と弾性接触してシールをなす環状のシール部材とを備えてなる配管の接続継手において前記配管に対する嵌合面となる前記雄嵌合部の外周面若しくは雌嵌合部の内周面の前記シール部材よりも配管挿入側の先端側の部分に金属製のエッジ部を環状に設けるとともに、該エッジ部の更に先端側に段部を形成し、環状の凹所を該エッジ部に続いて設けたことを特徴とする。
【００１２】
請求項２のものは、請求項１において、前記配管が樹脂製の配管であることを特徴とする。
【発明の作用・効果】
【００１３】
以上のように本発明は、接続継手の配管に対する嵌合面となる雄嵌合部の外周面若しくは雌嵌合部の内周面の先端側の部分に金属製の段付き形状のエッジ部を環状に設けるとともに、これに続いて更に先端側に環状の凹所を設けたもので、本発明によれば、配管を接続継手に挿入して接続を行う際、配管の嵌合面の側に面取り加工によって生じた削りかすが一部繋がったまま残っていたり或いは切り離された状態でそこに付着していたとしても、又はその他の異物が付着していても、接続継手に対して配管を挿入したとき、その異物が雄嵌合部若しくは雌嵌合部に設けた金属製の段付き形状のエッジ部による剪断（切断）作用若しくは掻取作用により除去されて環状の凹所内に収容される。
【００１４】
従ってそれら異物が配管の挿入時にシール部材の位置まで侵入してシール部材に噛み込んでしまうといったことを確実に防止でき、良好なシール性を確保することができる。
【００１５】
本発明は、特に樹脂製の配管の接続継手に適用して特に好適なものである（請求項２）。
【発明を実施するための最良の形態】
【００１６】
次に本発明の実施形態を図面に基づいて詳しく説明する。
図１〜図３において、１０は金属製の接続継手で、継手本体１２を有している。継手本体１２は、一端側（図中右端側）に雄ねじ部１４を有しており、また雄ねじ部１４に近接した位置に工具係合部１６を有している。
【００１７】
接続継手１０は円筒状の挿入空間１７を有しており、そこに配管（ここでは樹脂製の配管）１８が軸方向に挿入されるようになっている。
【００１８】
２０は配管１８の内周面に内嵌する雄嵌合部としての内筒で、継手本体１２に一体に構成されている。
この内筒２０の外周面にはＯリング溝が形成されていて、そこにゴム製のＯリング（環状のシール部材）２２が装着されている。
Ｏリング２２は、配管１８の内周面に弾性的に接触してシール作用をなす。
【００１９】
２４は継手本体１２とは別体を成す筒体で、雌ねじ部２６において継手本体１２の雄ねじ部２８にねじ結合されている。この筒体２４には貫通の窓開口３０が形成されている。
【００２０】
３２は袋ナットで、雌ねじ部３４において筒体２４の雄ねじ部３６にねじ結合されている。
３８はこれら袋ナット３２と筒体２４とにより軸方向に挟持状態に保持されたロックリングで、図２及び図３にも示しているように周方向に沿って多数の爪４０を有している。
【００２１】
このロックリング３８は、挿入空間１７に挿入された配管１８の外周面に爪４０を食い込ませることによって、配管１８を接続継手１０から抜止めする。
【００２２】
４２はロックリング３８によるロックを解除する解除リングで、この解除リング４２は、図１中右向きに押し込まれることでロックリング３８の爪４０を図中右向きに押して、配管１８の外周面に対する爪４０の食い込みを解除する。即ち配管１８に対するロックリング３８のロックを解除する。
ここで解除リング４２は、袋ナット３２により抜け止めされている。
尚本実施形態では筒体２４，袋ナット３２にて外筒５０が構成されている。
【００２３】
上記内筒２０の外周面は配管１８の内周面に対する嵌合面となるもので、この外周面には図中左側の先端側の部分、即ち配管１８の挿入側の先端側の部分に段付き形状の環状のエッジ部４４が設けられており、更にこの環状のエッジ部４４の更に先端側に環状の凹所４６がエッジ部４４に続いて形成されている。
【００２４】
図１の部分拡大図において、４８はエッジ部４４の立上り面で、ここでは軸直角方向の立上り面とされている。
尚本実施形態において立上り面４８の立上り角度（軸直角方向に対する角度）は９０±５°としておくことが望ましい。
【００２５】
この接続継手１０では、配管１８を挿入空間１７に挿入するだけでワンタッチで接続を行うことができる。
配管１８を挿入空間１７に挿入すると、雄嵌合部としての内筒２０の外周面が配管１８の内周面に内嵌するとともに、内筒２０の外周面に装着したＯリング２２が配管１８の内周面に弾性接触してシールをなし、またロックリング３８の爪４０が配管１８の外周面に食い込んでこれを抜け止めする。
【００２６】
図４はこの接続継手１０の作用を模式的に表したものである。
本実施形態の接続継手１０に対して樹脂製の配管１８を施工現場で接続する際には、そのシール面となる内周面の端を面取り加工する。
【００２７】
その際に削りかす５２Ａが一部繋がったまま残っていることがあるが、この場合（II）に示すようにその削りかす５２Ａは配管１８を接続継手１０に挿入する際、エッジ部４４による剪断作用で配管１８から切り離される。
そして切り離された削りかす５２Ａは、（III）に示すようにエッジ部４４に続いて形成された環状の凹所４６内に収容され、引き続き配管１８が挿入空間１７に挿入されたときに、かかる削りかす５２Ａが配管１８とともにＯリング２２の位置まで侵入してＯリング２２に食い込んでしまうといったことが確実に防止される。
【００２８】
以上は面取り加工の際に生じた削りかす５２Ａが一部配管１８に繋がったまま残っている場合であるが、削りかす５２Ａが配管１８から切り離された状態でその内面に付着している場合であっても、配管１８の挿入の際にエッジ部４４がその削りかす５２Ａを配管１８の内周面から掻き取って除去して凹所４６にこれを収容せしめる。
従って配管１８の内面に付着していた削りかす或いはその他の異物が、配管１８の挿入によってＯリング２２の位置まで侵入してこれに噛み込んでしまうのを確実に防止できる。
【００２９】
以上のように本実施形態によれば、配管１８を接続継手１０に挿入して接続を行う際、エッジ部４４の剪断作用或いは掻取作用によって、配管１８に付着していた異物を良好に配管１８から除去し得てこれを凹所４６に収容することができる。
【００３０】
従ってそれら異物が配管１８の挿入時にシール部材２２の位置まで侵入してそこに噛み込んでしまうといったことを確実に防止でき、良好なシール性を確保することができる。
【００３１】
以上は配管１８の内周面に接続継手１０の雄嵌合部を内嵌させてそれらの間でシールをなす場合の例であるが、本発明は接続継手に備えた雌嵌合部を配管１８の外周面に外嵌させて、それらの間でシールをなす場合にも適用可能なものである。
図５はその一例を模式的に表している。
【００３２】
図５に示す接続継手１０では、外筒５０が雌嵌合部として構成され、そして配管１８の外周面に対する嵌合面となる内周面に段付き形状の環状のエッジ部４４が、更にまたこれに続いて環状の凹所４６が形成されている。
【００３３】
この接続継手１０に対して樹脂製の配管１８を接続する際には、その嵌合面となる外周面の端を面取り加工するが、このときその外周面に削りかす５８Ａが一部繋がったまま或いは配管１８から切り離されて外周面に付着したままとなっていても、配管１８を接続継手１０の挿入空間１７に挿入する際に、一部繋がったままの或いは付着したままの削りかす５８Ａが、更にはその他の異物がエッジ部４４による剪断作用或いは掻取作用によって配管１８から除去されて凹所４６内に収容される。
【００３４】
従ってこの実施形態の接続継手１０においても、削りかす５８Ａやその他の異物がＯリング２２に噛み込んでシール性を阻害し、漏水の原因となるといった問題を解消することができる。
【００３５】
以上本発明の実施形態を詳述したがこれはあくまで一例示であり、本発明は樹脂以外の材質からなる配管用の接続継手に対して適用可能であるなど、本発明はその主旨を逸脱しない範囲において種々変更を加えた形態で構成可能である。
【図面の簡単な説明】
【００３６】
【図１】本発明の一実施形態の配管の接続継手を示す断面図である。
【図２】同実施形態の接続継手を分解して示す断面図である。
【図３】同実施形態の接続継手を分解して示す斜視図である。
【図４】同実施形態の作用説明図である。
【図５】本発明の他の実施形態の接続継手を模式的に示した図である。
【図６】従来の配管の接続継手の一例を模式的に示した図である。
【符号の説明】
【００３７】
１０  接続継手
１７  挿入空間
１８  配管
２２  Ｏリング（シール部材）
４４  エッジ部
４６  凹所
【図１】
2006064054.tif 000003
【図２】
2006064054.tif 000004
【図３】
2006064054.tif 000005
【図４】
2006064054.tif 000006
【図５】
2006064054.tif 000007
【図６】
2006064054.tif 000008